(57)【要約】      （修正有）【課題】指への装着及び指からの取り外しが容易な指サックを提供する。【解決手段】両端に開口部１１ａ及び１１ｂを有する管状の可撓性本体１１と可撓性本体１１の外周面に立設された摘み片２１とを備えている。摘み片２１は、可撓性本体１１の軸線に沿って立設され、摘み位置を決める凹部２３を有する。【選択図】図１
0003179038.tif 000002
【実用新案登録請求の範囲】
【請求項１】
両端に開口部を有する管状の可撓性本体と、前記可撓性本体の外周面に立設された摘み片とを備えている指サック。
【請求項２】
前記摘み片は、前記可撓性本体の軸線に沿って立設されている請求項１に記載の指サック。
【請求項３】
前記摘み片は、主面それぞれに摘み位置を決める凹部を有している請求項１又は２に記載の指サック。
【請求項４】
前記摘み片は、可撓性を有し、前記可撓性本体と一体成形されている請求項１〜３のいずれか１項に記載の指サック。
【請求項５】
前記可撓性本体は、周壁を貫通する通気孔を少なくとも１つ有している請求項１〜４のいずれか１項に記載の指サック。
【請求項６】
前記可撓性本体は、一方の前記開口部の端面から軸線方向に伸びる舌片を有している請求項１〜５のいずれか１項に記載の指サック。
【請求項７】
前記舌片は、前記可撓性本体の軸線に対して前記摘み片の反対側の前記端面に配置されている請求項６に記載の指サック。
【考案の詳細な説明】
【技術分野】
【０００１】
この考案は、指サックに関し、さらに詳しくは、指への装着及び指からの取り外しが容易な指サックに関する。
【背景技術】
【０００２】
本、雑誌、新聞及び書類等を読む場合、書類等の枚葉紙又は紙幣等を数える場合、伝票等を確認する場合には１枚ずつ正確に捲るために指先に被せて使用する指サックが用いられる。このような指サックとして、例えば、ゴム等の可撓性材料で形成され、一端が閉じ、他端が開口した管状で指の先端に被せる構造の指サック、両端が開口した管状で指の先端に外挿する構造の指サック等が知られている。
【０００３】
このような指サックの一例として、例えば、特許文献１には「ゴム質、若しくはビニール等を材質とした医療用指サックの少なくとも突端部分Ａに、本体１の胴体部分と一体化して形成された突起物２が具備された事を特徴とする突起のついた医療用指サック」が記載されている。また、特許文献２には、明確に「指サック」との明確な記載はないが、「手袋の指先先端部分に手袋本体以上の硬度を有する爪状の突起を付けた構造を特徴とする爪付き手袋」が記載されている。
【０００４】
しかし、指サックは、可撓性材料で比較的薄く形成されているので、指サックを装着するときにも、また指サックを取り外すときにも、指サックが容易に変形して装着しにくい。このような問題は特にネイルアートを施した指に指サックを装着又は脱着させる際に顕著である。
【先行技術文献】
【特許文献】
【０００５】
【特許文献１】実開平１−１０１５２２号公報
【特許文献２】登録実用新案公報第３０６０７２４号公報
【考案の概要】
【考案が解決しようとする課題】
【０００６】
この考案は、指への装着及び指からの取り外しが容易な指サックを提供することを目的とする。
【課題を解決するための手段】
【０００７】
前記課題を解決するための手段として、
請求項１は、両端に開口部を有する管状の可撓性本体と前記可撓性本体の外周面に立設された摘み片とを備えている指サックであり、
請求項２は、前記摘み片は前記可撓性本体の軸線に沿って立設されている請求項１に記載の指サックであり、
請求項３は、前記摘み片は主面それぞれに摘み位置を決める凹部を有している請求項１又は２に記載の指サックであり、
請求項４は、前記摘み片は可撓性を有し、前記可撓性本体と一体成形されている請求項１〜３のいずれか１項に記載の指サックであり、
請求項５は、前記可撓性本体は周壁を貫通する通気孔を少なくとも１つ有している請求項１〜４のいずれか１項に記載の指サックであり、
請求項６は、前記可撓性本体は一方の前記開口部の端面から軸線方向に伸びる舌片を有している請求項１〜５のいずれか１項に記載の指サックであり、
請求項７は、前記舌片は前記可撓性本体の軸線に対して前記摘み片の反対側の前記端面に配置されている請求項６に記載の指サックである。
【考案の効果】
【０００８】
この考案に係る指サックは、両端に開口部を有する管状の可撓性本体と前記可撓性本体の外周面に立設された摘み片とを備えているから、摘み片を摘まんで可撓性本体を延伸させることによって、指に容易に装着され、また指から容易に取り外される。したがって、この考案によれば、指への装着及び指からの取り外しが容易な指サックを提供できる。
【図面の簡単な説明】
【０００９】
【図１】図１は、この考案に係る指サックの一例である指サックを示す概略説明図であり、図１（ａ）はこの考案に係る指サックの一例である指サックの概略左側面図であり、図１（ｂ）はこの考案に係る指サックの一例である指サックの概略正面図である。
【図２】図２は、この考案に係る指サックの一例である指サックを指に装着する方法を説明する概略説明図である。
【図３】図３は、この考案に係る指サックの別の一例である指サックを示す概略説明図であり、図３（ａ）はこの考案に係る指サックの別の一例である指サックの概略左側面図であり、図３（ｂ）はこの考案に係る指サックの別の一例である指サックの概略正面図である。
【図４】図４は、この考案に係る指サックのまた別の一例である指サックを示す概略説明図であり、図４（ａ）はこの考案に係る指サックのまた別の一例である指サックの概略左側面図であり、図４（ｂ）はこの考案に係る指サックのまた別の一例である指サックの概略正面図である。
【図５】図５は、この考案に係る指サックのまた別の一例である指サックを指に装着する方法を説明する概略説明図である。
【図６】図６は、この考案に係る指サックの変形例の指サックを示す概略説明図である。
【考案を実施するための形態】
【００１０】
この考案に係る指サックは、両端が開口した管状体であって、本、雑誌、新聞及び書類等を読む場合、書類等の枚葉紙又は紙幣等を数える場合、伝票等を確認する場合に、指の先端に外挿されて指に巻いた状態に装着されて使用される。この考案に係る指サックは、例えば、事務用指サック、医療用指サック等として使用される。したがって、この考案に係る指サックは、使用者の指に密着する寸法を有していればよく、指の寸法、用途等に応じて、適宜の厚さ、内径及び軸線長さに設定される。
【００１１】
この考案に係る指サックは、通常、可撓性で摩擦係数が比較的高いゴム等の可撓性材料で形成されている。このような可撓性材料として、ゴム及びエラストマーが挙げられる。ゴムとしては、具体的には、シリコーンゴム、天然ゴム、ブタジエンゴム、イソプレンゴム、スチレン−ブタジエンゴム、ニトリルゴム、クロロプレンゴム、ブチルゴム、アクリルゴム、エチレン−プロピレンゴム、ヒドリンゴム、ウレタンゴム、フッ素ゴム等が挙げられる。エラストマーとしては、具体的には、スチレン系熱可塑性エラストマー、ポリオレフィン系熱可塑性エラストマー、ポリ塩化ビニル系熱可塑性エラストマー、ポリウレタン系熱可塑性エラストマー、ポリエステル系熱可塑性エラストマー、ポリアミド系熱可塑性エラストマー、ポリブタジエン系熱可塑性エラストマー、トランスポリイソプレン系熱可塑性エラストマー、フッ素ゴム系熱可塑性エラストマー、塩素化ポリエチレン系熱可塑性エラストマー等が挙げられる。これらの中でも書類等の枚葉紙、紙幣等との粘着性の点でシリコーンゴムが好ましい。
【００１２】
この考案に係る指サックを、図面を参酌して、具体的に説明する。この考案に係る指サックの一例である指サック１は、図１に示されるように、可撓性本体１１と摘み片２１とを備え、事務用として好適に用いられる。
【００１３】
可撓性本体１１は、軸線に沿って延在する管状であって、その両端それぞれに開口部１１ａ及び開口部１１ｂを有している。この可撓性本体１１は、軸線に垂直な断面が円形になっている。可撓性本体１１の寸法は前記のように設定され、例えば、軸線長さは装着される指の先端から遠位指節間関節、所謂「第１関節」までの長さ以下に設定され、内径は装着される指の太さよりもわずかに小さくなるように設定される。内径は、例えば、５〜３０ｍｍに設定される。なお、可撓性本体１１の厚さは可撓性材料の硬度及び強度等に応じて適宜に設定されればよく、例えば、０．５〜２ｍｍに設定される。可撓性材料の硬度としては、デューロメータＡによる硬度が１０〜２０であるのが好ましい。
【００１４】
摘み片２１は、可撓性本体１１の外周面に可撓性本体１１の軸線に沿って立設されている。この摘み片２１は、両主面が軸線に平行で軸線方向の両端面が開口部１１ａの端面及び開口部１１ｂの端面それぞれと面一な板状体になっている。すなわち、摘み片２１は可撓性本体１１の一方の開口部１１ａから他方の開口部１１ｂまで延在している。摘み片２１の可撓性本体１１からの突出量及び厚さは使用者が摘まむことができる程度であればよく、例えば、突出量は１０〜２０ｍｍ、厚さは０．５〜３ｍｍにそれぞれ設定される。摘み片２１は、図１（ｂ）に示されるように、自由端における軸線方向の両端部それぞれが面取りされている。この摘み片２１は、可撓性材料又は硬質材料で形成され、可撓性本体１１と一体成形できる点で、可撓性材料で形成されるのが好ましい。硬質材料としては、例えば、各種樹脂等が挙げられる。
【００１５】
指サック１は、前記可撓性材料で成形された可撓性本体１１に可撓性本体１１と別体として可撓性材料又は硬質材料で形成された摘み片２１を接着剤等で接着して製造してもよいが、生産性及び歩留りが高い点で、可撓性本体１１と摘み片２１とを可撓性材料で一体成形して製造するのが好ましい。一体成形としては例えば、押出成形、金型成形、射出成型等が挙げられる。
【００１６】
この指サック１の作用・機能を、指サック１を指に装着する方法を挙げて説明する。指サック１を指に装着するには、まず、図２（ａ）に示されるように、装着する指の先端側に指サック１を配置する。次いで、図２（ｂ）に示されるように、指サック１の可撓性本体１１の内部に指の先端、特に指先の腹側を、好ましくは指サック１を装着する位置まで、挿入する。そうすると、可撓性本体１１は指先が挿入された側に対して摘み部２１が立設された側が指から遠ざかるように変形する。そして、指サック１を装着しないもう片方の手で摘み片２１を摘まんで挿入した指の腹に対して上方、通常、指先から遠ざかる方向に向けて斜め上方に引っ張る。このときの状態が図２（ｂ）に示されている（なお、図２（ｂ）において摘み部２１を摘まんでいる指は図示しない。）。その後、上方に引っ張った摘み片２１を指の付け根側に引っ張って延伸した可撓性本体１１を指の第１関節に配置した後に摘み片２１を離す。このようにして図２（ｃ）に示されるように指サック１を指の第１関節近傍に装着することができる。このように指サック１は、指の第１関節近傍に配置されるときに、可撓性本体１１に立設され、可撓性本体１１から突出した摘み片２１を摘まんで指の付け根側に引っ張ることが極めて容易にできるから、所定の位置に容易に装着される。
【００１７】
装着された指サック１を指から取り外すときには、指サック１を指に装着する方法を逆の操作を行う。すなわち、図２（ｂ）に示されるように、摘み片２１を摘まんで指の先端側に引っ張る。このように、摘み片２１は可撓性本体１１から突出しているから、摘み易く、かつ引っ張りやすい。したがって、指サック１を指から容易に取り外すことができる。特に可撓性本体１１の軸線に沿って立設された摘み片２１によれば可撓性本体１１をその軸線方向に均一に引っ張ることができるから、可撓性本体１１を指に挿入又は脱離しやすく、指への装着も指からの取り外しも極めて容易になる。
【００１８】
このように、指サック１は、可撓性本体１１に立設された摘み片２１を摘み易く、かつ引っ張りやすいから、指への装着も指からの取り外しも容易で、装脱性に優れる。なお、指サック１は指の爪側に摘み片２１が配置するように指に装着されるから摘み片２１は使用時に指サック１の機能を阻害することはない。したがって、この指サック１は、本来の機能である枚葉紙等を１枚ずつ捲る機能を損なうことなく、高い装脱性を発揮する。
【００１９】
この考案に係る指サックのまた別の一例である指サック２は、図３に示されるように、可撓性本体１１と摘み片２２とを備え、事務用として好適に用いられる。この指サック２は摘み片２２が異なること以外は指サック１と基本的に同様である。摘み片２２は、図３に示されるように、両主面が軸線に平行で軸線方向の両端面が開口部１１ａの端面及び開口部１１ｂの端面よりも内部側に位置する板状体であること以外は摘み片２１と基本的に同様である。したがって、指サック２は指サック１と同様に装脱性に優れる。
【００２０】
この考案に係る指サックの別の一例である指サック３は、図４に示されるように、可撓性本体１１と摘み片２２と舌片３１とを備え、事務用として好適に用いられる。この指サック３は舌片３１を備えていること以外は指サック２と基本的に同様である。
【００２１】
舌片３１は、図４に示されるように、可撓性本体１１の軸線に対して摘み片２２の反対側の端面に配置され、可撓性本体１１の一方の開口部１１ａの端面から可撓性本体１１の軸線方向に伸びる半管状体である。したがって、舌片３１は、可撓性本体１１の内径及び外径と同一の内径及び外径を有する、軸線に垂直な断面形状が円弧状になっている。舌片３１の軸線長さは指の先端から第１関節までの長さ以下であればよく、例えば、１０〜１５ｍｍに設定される。舌片３１は、可撓性材料又は硬質材料で指の先端から第１関節までの腹側に配置されるように形成される。例えば、この舌片３１は、中心角が１０〜１８０°の円弧状に形成され、具体的には約６０°の円弧状に形成されている。また例えば、舌片３１は、硬質材料又はデューロメータＡによる硬度が１０〜２０の可撓性材料で形成されてもよく、シリコーンゴム等の粘着性ゴムで形成されて舌片３１の内周面に粘着性が付与されていてもよく、舌片３１の内周面に密着層を設けてもよく、また支持骨、例えば軸線方向に延在する支持骨が埋設されていてもよい。硬質材料としては、例えば各種樹脂等が挙げられる。
【００２２】
指サック３は、前記可撓性材料で成形された可撓性本体１１、可撓性材料又は硬質材料で形成された摘み片２２及び可撓性材料又は硬質材料で形成された舌片３１をそれぞれ別体として製造してもよいが、生産性及び歩留りが高い点で、可撓性本体１１と摘み片２２と舌片３１とを可撓性材料で一体成形して製造するのが好ましい。一体成形としては例えば、押出成形、金型成形、射出成型等が挙げられる。
【００２３】
この指サック３の作用・機能を、特に爪にネイルアートを施した指に指サック３を装着する方法を挙げて、説明する。指サック３を指に装着するには、基本的には指サック１と同様にする。具体的には、図５（ａ）に示されるように、装着する指の先端側に指サック３を配置する。次いで、図５（ｂ）に示されるように、指サック３の可撓性本体１１の内部に指の先端、特に指先の腹側を好ましくは指の爪よりも付け根側まで挿入すると共に、指サック３を装着しないもう片方の手で摘み片２２を摘まんで挿入した指の腹に対して上方、通常、指先から遠ざかる方向に向けて斜め上方に引っ張る。このときの状態が図５（ｂ）に示されている（なお、図５（ｂ）において摘み部２１を摘まんでいる指は図示しない。）。その後、上方に引っ張った摘み片２２を指の付け根側に引っ張って延伸した可撓性本体１１を指の爪よりも付け根側に配置した後に摘み片２２を離す。このようにして図５（ｃ）に示されるように指サック１を指の爪よりも付け根側に装着する。このように指サック３は、可撓性本体１１に立設され、可撓性本体１１から突出した摘み片２２を摘まんで指の付け根側に引っ張ることが極めて容易にでき、爪に施したネイルアート８に接触しないように可撓性本体１１を指の爪よりも付け根側に配置できるから、ネイルアート８を損傷させることなく、所定の位置に容易に装着される。装着された指サック３を指から取り外すときには、指サック１を指に装着する方法を逆の操作を行う。なお、ネイルアート８を施していない爪に指サック３を装着する場合及び取り外す場合も基本的に同様である。
【００２４】
このように、指サック３は、可撓性本体１１に立設された摘み片２２を摘み易く、かつ引っ張りやすいから、指への装着も指からの取り外しも容易で、装脱性に優れる。加えて、指サック３は、舌片３１を備えているから、ネイルアート８に接触しないように指の爪よりも付け根側に装着したとしても、舌片３１が指の先端から第１関節までの腹に配置されるから、本来の機能である枚葉紙等を１枚ずつ捲る機能を保持している。したがって、この指サック３は、本来の機能である枚葉紙等を１枚ずつ捲る機能を損なうことなく、爪にネイルアート８を施している指であってもネイルアート８を損傷させることなく高い装脱性を発揮する。
【００２５】
この考案に係る指サックの別の一例である指サック４は、図６（ａ）及び図６（ｂ）に示されるように、可撓性本体１２と摘み片２２とを備え、事務用として好適に用いられる。図６（ａ）は指サック４の概略左側面図であり、図６（ｂ）は指サック４の概略正面図である。この指サック４は可撓性本体１２が異なること以外は指サック２と基本的に同様である。可撓性本体１２は軸線に垂直な断面が五角形になっていること以外は可撓性本体１１と基本的に同様である。摘み片２２は可撓性本体１２の断面五角形を形成する隣接する周壁の連接部である稜線に立設されている。したがって、指サック４は指サック２と同様に装脱性に優れる。
【００２６】
この考案に係る指サックのまた別の一例である指サック５は、図６（ｃ）及び図６（ｄ）に示されるように、可撓性本体１３と摘み片２２とを備え、事務用として好適に用いられる。図６（ｃ）は指サック５の概略左側面図であり、図６（ｄ）は指サック５の概略正面図である。この指サック５は可撓性本体１３が異なること以外は指サック４と基本的に同様である。可撓性本体１３は周壁を貫通する５つの通気孔１３ａを有していること以外は可撓性本体１２と基本的に同様である。すなわち、可撓性本体１３は断面五角形を形成する５つの周壁それぞれの略中央に通気孔１３ａが穿孔されている。このように、可撓性本体１３が通気孔１３ａを有していると、指サック５を長時間指に装着しても蒸れることなく、快適な装着性を発揮する。したがって、指サック５は装脱性に加えて装着性にも優れる。
【００２７】
この考案に係る指サックのさらにまた別の一例である指サック６は、図６（ｅ）及び図６（ｆ）に示されるように、可撓性本体１３と摘み片２２と舌片３２とを備え、事務用として好適に用いられる。図６（ｅ）は指サック６の概略左側面図であり、図６（ｆ）は指サック６の概略正面図である。この指サック６は舌片３２を備えていること以外は指サック５と基本的に同様である。この舌片３２は、可撓性本体１３の断面五角形を形成する１つの周壁１３ｂの、一方の開口部１１ａ側の端面から可撓性本体１３の軸線方向に伸びる板状体である。したがって、舌片３２は可撓性本体１３の厚さと同一の厚さを有していること以外は舌片３１と基本的に同様である。したがって、指サック６は、本来の機能である枚葉紙等を１枚ずつ捲る機能を損なうことなく、爪にネイルアートを施している指であってもネイルアートを損傷させることなく高い装脱性及び装着性を発揮する。
【００２８】
この考案に係る指サックは、前記した例に限定されることはなく、本願考案の目的を達成することができる範囲において、種々の変更が可能である。例えば、指サック１〜６は、いずれも、厚さが一定の摘み片２１又は摘み片２２を備えているが、この考案において摘み片は一定の厚さを有している必要はなく、薄肉部又は厚肉部を有していてもよい。具体的には、図１に破線で示されるように、摘み部２１は、その主面それぞれに指の摘み位置を決める凹部２３が形成された所謂「凹レンズ」状に、形成されていてもよい。このような凹部２３を有する摘み部２１は指の腹が正確に位置決めされ、指サックの装脱時に摘み部を確実に摘まむことができ、指サックの装脱性がより一層向上する。
【００２９】
指サック１において、摘み片２１は両主面が可撓性本体１１の軸線に平行な１枚の板状体になっているが、この考案において、摘み片は両主面が可撓性本体の軸線に平行になっていなくてもよく、例えば、可撓性本体の軸線に対して±４５°の範囲で交差するように立設されていてもよく、場合によっては複数の板状体又は棒状体が可撓性本体１１の軸線に沿って間隔をあけて立設されていてもよい。
【００３０】
指サック４〜６は、いずれも、摘み片２２が可撓性本体１２の断面五角形を形成する隣接する周壁の連接部である稜線に立設されているが、この考案において、摘み片は可撓性本体の断面五角形を形成する周壁に立設されていてもよい。
【００３１】
指サック５及び６は、貫通孔１３ａが可撓性本体１２の断面五角形を形成する周壁に穿孔されているが、この考案において、貫通孔は可撓性本体の断面五角形を形成する隣接する複数、例えば２つの周壁に跨って穿孔されていてもよい。
【００３２】
指サック６は、舌片３２が可撓性本体１２の断面五角形を形成する１つの周壁１３ｂに形成されているが、この考案において、舌片は可撓性本体の断面五角形を形成する複数の周壁に形成されていてもよく、また可撓性本体の断面五角形を形成する隣接する複数、例えば２つの周壁に跨って形成されていてもよい。
【符号の説明】
【００３３】
１〜６  指サック
８  ネイルアート
１１〜１３  可撓性本体
１１ａ  一方の開口部
１１ｂ  他方の開口部
１３ａ  通気孔
１３ｂ  周壁
２１、２２  摘み片
２３  凹部
３１、３２  舌片
【図１】
0003179038.tif 000003
【図２】
0003179038.tif 000004
【図３】
0003179038.tif 000005
【図４】
0003179038.tif 000006
【図５】
0003179038.tif 000007
【図６】
0003179038.tif 000008